(57)【特許請求の範囲】
【請求項１】
集合住宅の住戸に設けられた表示端末と、
前記集合住宅の共用スペースに設けられた少なくとも１つの撮像装置が接続されるサーバ装置とを備え、
前記表示端末は、第１通信部と、表示部と、前記第１通信部及び前記表示部を制御する第１制御部とを有し、
前記サーバ装置は、前記第１通信部と通信を行う第２通信部と、前記第２通信部を制御する第２制御部とを有しており、
前記第１制御部は、前記表示部に表示させた第１選択画面において第１選択ボタンが選択されると、前記少なくとも１つの撮像装置により撮像された映像を要求する要求信号を前記第１通信部から前記第２通信部に送信させ、
前記第２制御部は、前記第２通信部が前記要求信号を受信すると、同時にセッションを行っている前記表示端末の台数に基づいてセッション可能と判定した場合に、前記少なくとも１つの撮像装置に一対一に対応付けられた少なくとも１つの第２選択ボタンを含む第２選択画面を前記表示部に表示させる第１データを前記第２通信部から前記第１通信部に送信させ、
前記第１制御部は、前記第１通信部が前記第１データを受信すると、前記第１データに基づいて前記第２選択画面を前記表示部に表示させ、前記第２選択画面において前記少なくとも１つの第２選択ボタンのいずれかが選択されると選択信号を前記第１通信部から前記第２通信部に送信させ、
前記第２制御部は、前記第２通信部が前記選択信号を受信すると、前記少なくとも１つの撮像装置のうち前記選択信号に対応する撮像装置により撮像された映像を前記表示部に表示させる第２データを前記第２通信部から前記第１通信部に送信させ、
前記第１制御部は、前記第１通信部が前記第２データを受信すると、前記第２データに基づいて前記映像を前記表示部に表示させるように構成されている
ことを特徴とする集合住宅用インターホンシステム。
【請求項２】
前記サーバ装置は、前記少なくとも１つの撮像装置の識別情報と前記少なくとも１つの撮像装置の撮像対象の名称とを一対一に対応付けて記憶する記憶部と、前記記憶部に記憶される前記名称を設定する名称設定部とをさらに有している
ことを特徴とする請求項１記載の集合住宅用インターホンシステム。
【請求項３】
前記サーバ装置は、前記記憶部に記憶されている情報を外部装置に出力する情報出力部をさらに有している
ことを特徴とする請求項２記載の集合住宅用インターホンシステム。
【請求項４】
集合住宅の共用スペースに設けられた少なくとも１つの撮像装置が接続され、前記集合住宅の住戸に設けられた表示端末とともに集合住宅用インターホンシステムを構成するサーバ装置であって、
前記表示端末の第１通信部と通信を行う第２通信部と、前記第２通信部を制御する制御部とを備え、
前記制御部は、前記第２通信部が前記少なくとも１つの撮像装置により撮像された映像を要求する要求信号を前記第１通信部から受信すると、同時にセッションを行っている前記表示端末の台数に基づいてセッション可能と判定した場合に、前記少なくとも１つの撮像装置に一対一に対応付けられた少なくとも１つの選択ボタンを含む選択画面を前記表示端末の表示部に表示させる第１データを前記第２通信部から前記第１通信部に送信させ、
前記制御部は、前記第１データに基づいて前記表示部に表示させた前記選択画面において前記少なくとも１つの選択ボタンのいずれかが選択されることで前記第１通信部から送信された選択信号を前記第２通信部が受信すると、前記少なくとも１つの撮像装置のうち前記選択信号に対応する撮像装置により撮像された映像を前記表示部に表示させる第２データを前記第２通信部から前記第１通信部に送信させるように構成されている
ことを特徴とするサーバ装置。
【請求項５】
請求項１〜３のいずれか１項に記載の集合住宅用インターホンシステムに用いられる
ことを特徴とする表示端末。
【発明の詳細な説明】
【技術分野】
【０００１】
本発明は、一般に集合住宅用インターホンシステム、サーバ装置、及び表示端末に関し、より詳細には、マンションなどの集合住宅に用いられる集合住宅用インターホンシステム、サーバ装置、及び表示端末に関する。
【背景技術】
【０００２】
従来、マンションなどの集合住宅に用いられる集合住宅用インターホンシステムが提供されている（例えば特許文献１参照）。特許文献１に記載の集合住宅用インターホンシステムは、集合玄関機と、システムを制御する制御機と、複数の居室親機と、複数の共用部カメラと、共用部カメラを制御するカメラコントローラと、複数の住戸アダプタとを備える。集合玄関機及びカメラコントローラは、それぞれ信号線により制御機に接続される。複数の居室親機の各々は、複数の住戸アダプタのうち対応する住戸アダプタを介して制御機に接続される。
【０００３】
特許文献１に記載の集合住宅用インターホンシステムでは、居室親機の共用部カメラボタンが操作されると、住戸アダプタによって制御機と居室親機間の映像通信路が形成され、共用部カメラの映像が居室親機のモニタに表示される。このとき、居室親機のモニタでは、カメラコントローラによって所定時間間隔で切り替えられる複数の共用部カメラの映像が順次表示される。
【先行技術文献】
【特許文献】
【０００４】
【特許文献１】特開２００７−０５３６３２号公報
【発明の概要】
【発明が解決しようとする課題】
【０００５】
ところで、特許文献１に記載の集合住宅用インターホンシステムでは、居室親機（表示端末）のモニタに表示させる共用部カメラ（撮像装置）の映像を表示端末からの操作により選択できなかった。
【０００６】
本発明は上記課題に鑑みてなされており、表示端末に表示させる撮像装置の映像を表示端末からの操作により選択することができる集合住宅用インターホンシステム、サーバ装置、及び表示端末を提供することを目的とする。
【課題を解決するための手段】
【０００７】
本発明の一態様に係る集合住宅用インターホンシステムは、表示端末と、サーバ装置とを備えている。前記表示端末は、集合住宅の住戸に設けられている。前記サーバ装置は、前記集合住宅の共用スペースに設けられた少なくとも１つの撮像装置が接続されている。前記表示端末は、第１通信部と、表示部と、前記第１通信部及び前記表示部を制御する第１制御部とを有している。前記サーバ装置は、前記第１通信部と通信を行う第２通信部と、前記第２通信部を制御する第２制御部とを有している。前記第１制御部は、前記表示部に表示させた第１選択画面において第１選択ボタンが選択されると、要求信号を前記第１通信部から前記第２通信部に送信させるように構成されている。前記要求信号は、前記少なくとも１つの撮像装置により撮像された映像を要求する信号である。前記第２制御部は、前記第２通信部が前記要求信号を受信すると、同時にセッションを行っている前記表示端末の台数に基づいてセッション可能と判定した場合に、第１データを前記第２通信部から前記第１通信部に送信させるように構成されている。前記第１データは、前記少なくとも１つの撮像装置に一対一に対応付けられた少なくとも１つの第２選択ボタンを含む第２選択画面を前記表示部に表示させるデータである。前記第１制御部は、前記第１通信部が前記第１データを受信すると、前記第１データに基づいて前記第２選択画面を前記表示部に表示させるように構成されている。前記第１制御部は、前記第２選択画面において前記少なくとも１つの第２選択ボタンのいずれかが選択されると選択信号を前記第１通信部から前記第２通信部に送信させるように構成されている。前記第２制御部は、前記第２通信部が前記選択信号を受信すると、第２データを前記第２通信部から前記第１通信部に送信させるように構成されている。前記第２データは、前記少なくとも１つの撮像装置のうち前記選択信号に対応する撮像装置により撮像された映像を前記表示部に表示させるデータである。前記第１制御部は、前記第１通信部が前記第２データを受信すると、前記第２データに基づいて前記映像を前記表示部に表示させるように構成されている。
【０００８】
本発明の一態様に係るサーバ装置は、集合住宅の共用スペースに設けられた少なくとも１つの撮像装置が接続され、前記集合住宅の住戸に設けられた表示端末とともに集合住宅用インターホンシステムを構成する。このサーバ装置は、前記表示端末の第１通信部と通信を行う第２通信部と、前記第２通信部を制御する制御部とを備えている。前記制御部は、前記第２通信部が前記第１通信部から要求信号を受信すると、同時にセッションを行っている前記表示端末の台数に基づいてセッション可能と判定した場合に、第１データを前記第２通信部から前記第１通信部に送信させるように構成されている。前記要求信号は、前記少なくとも１つの撮像装置により撮像された映像を要求する信号である。前記第１データは、前記少なくとも１つの撮像装置に一対一に対応付けられた少なくとも１つの選択ボタンを含む選択画面を前記表示端末の表示部に表示させるデータである。前記制御部は、前記第２通信部が選択信号を受信すると、第２データを前記第２通信部から前記第１通信部に送信させるように構成されている。前記選択信号は、前記第１データに基づいて前記表示部に表示させた前記選択画面において前記少なくとも１つの選択ボタンのいずれかが選択されることで前記第１通信部から送信される信号である。前記第２データは、前記少なくとも１つの撮像装置のうち前記選択信号に対応する撮像装置により撮像された映像を前記表示部に表示させるデータである。
【０００９】
本発明の一態様に係る表示端末は、上述の集合住宅用インターホンシステムに用いられる。
【発明の効果】
【００１０】
本発明は、表示端末に表示させる撮像装置の映像を表示端末からの操作により選択することができる、という効果がある。
【図面の簡単な説明】
【００１１】
【図１】図１は、本発明の一実施形態に係る集合住宅用インターホンシステムの構成図である。
【図２】図２は、同上の集合住宅用インターホンシステムのブロック図である。
【図３】図３Ａ〜図３Ｄは、同上の集合住宅用インターホンシステムに用いられる住戸親機の表示部に表示される画面の説明図である。
【図４】図４は、同上の集合住宅用インターホンシステムの動作を説明するシーケンス図である。
【発明を実施するための形態】
【００１２】
以下、本発明の実施形態に係る集合住宅用インターホンシステムについて、図面を参照して具体的に説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００１３】
本実施形態の集合住宅用インターホンシステム２００は、図１に示すように、例えばマンション等の集合住宅１００に用いられる。集合住宅用インターホンシステム２００は、図１に示すように、住戸親機（表示端末）１と、カメラアダプタ（サーバ装置）２と、複数（図示例では４つ）の撮像装置３Ａ〜３Ｄとを備えている。また、集合住宅用インターホンシステム２００は、制御装置４と、管理室親機５と、中継装置６と、端末装置７（図２参照）と、変換装置８とをさらに備えている。なお、端末装置７及び変換装置８については必須の構成ではない。以下の説明において、複数の撮像装置３Ａ〜３Ｄをとくに区別しない場合には、複数の撮像装置３Ａ〜３Ｄの各々を「撮像装置３」ともいう。また、図１及び図２では、住戸親機１が１つしか図示されていないが、実際には制御装置４に対して複数の住戸親機１が接続される。
【００１４】
複数の住戸親機１は、集合住宅１００の複数の住戸１０２にそれぞれ設けられている。管理室親機５は、例えば集合住宅１００の共用スペースである共用玄関１０１に設けられている。本実施形態では、集合住宅１００の共用玄関１０１にコンシェルジュが駐在する受付スペースが設けられており、この受付スペースに管理室親機５が設けられている。受付スペースに待機するコンシェルジュは、管理室親機５を用いて、来訪者を住戸１０２の住人に取り次ぐ業務などを行う。
【００１５】
制御装置４は、伝送線１０Ａを介して複数の住戸親機１に接続されている。また、制御装置４は、伝送線１０Ｂを介して管理室親機５に接続されている。さらに、制御装置４は、伝送線１０Ｃを介してカメラアダプタ２に接続されている。カメラアダプタ２には、中継装置６が接続されている。中継装置６には、複数（図示例では４つ）の撮像装置３（３Ａ，３Ｂ，３Ｃ，３Ｄ）と、端末装置７とが接続されている。なお、図２では、中継装置６に対して撮像装置３が１つしか接続されていないが、実際には図１に示すように、中継装置６に対して４つの撮像装置３（３Ａ，３Ｂ，３Ｃ，３Ｄ）が接続されている。
【００１６】
以下、集合住宅用インターホンシステム２００が備える各構成について説明する。
【００１７】
住戸親機１は、図２に示すように、第１制御部１１と、第１通信部１２と、通話部１３と、表示部１４と、操作部１５とを備えている。
【００１８】
第１制御部１１は、例えばマイクロコンピュータを主構成とし、マイクロコンピュータのメモリに記録されたプログラムをＣＰＵ（Central Processing Unit）で実行することにより、住戸親機１の種々の機能を実現する。第１制御部１１は、例えばブラウザのソフトウェアをＣＰＵで実行することにより、ブラウザとしての機能を実現する。ＣＰＵが実行するプログラムは、予めマイクロコンピュータのメモリに記録されていてもよいし、メモリカードのような記録媒体に記録されて提供されたり、電気通信回線を通して提供されたりしてもよい。
【００１９】
第１通信部１２は、音声信号、制御信号（例えば呼出信号など）の少なくとも一方を含む通信信号を生成するように構成されている。第１通信部１２は、生成した通信信号を伝送線１０Ａを介して制御装置４へ送信する。通信信号には、例えば通信相手となる管理室親機５を指定するアドレスが含まれている。また、第１通信部１２は、制御装置４から送信された通信信号を受信する。第１通信部１２は、受信した通信信号を、第１制御部１１を中継して通話部１３又は表示部１４に出力する。
【００２０】
通話部１３には、マイクロホンとスピーカとが接続されており、管理室親機５又は他の住戸親機１との間の通話機能を実現する。
【００２１】
表示部１４は、例えば液晶ディスプレイや有機ＥＬ（Electro Luminescence）ディスプレイなどの表示デバイスを備え、第１制御部１１からの制御指令に応じた表示内容を表示デバイスに表示させる。
【００２２】
操作部１５は、住戸親機１を使用する人物（例えば住戸１０２の住人）の操作を受け付けるように構成されている。本実施形態では、操作部１５は、住戸親機１に設けられた操作ボタン、表示部１４に設けられたタッチパネルなどを含む。操作部１５は、操作内容に応じた操作信号を第１制御部１１に出力する。
【００２３】
カメラアダプタ２は、図２に示すように、第２制御部（制御部）２１と、第２通信部２２と、記憶部２３と、名称設定部２４と、情報入出力部（情報出力部）２５とを備えている。
【００２４】
第２制御部２１は、例えばマイクロコンピュータを主構成とし、マイクロコンピュータのメモリに記録されたプログラムをＣＰＵで実行することにより、カメラアダプタ２の種々の機能を実現する。ＣＰＵが実行するプログラムは、予めマイクロコンピュータのメモリに記録されていてもよいし、メモリカードのような記録媒体に記録されて提供されたり、電気通信回線を通して提供されたりしてもよい。
【００２５】
第２通信部２２は、伝送線１０Ｃを介して制御装置４に接続されており、制御装置４の通信部４３（後述する）と通信を行う。また、第２通信部２２は、中継装置６に接続されており、中継装置６を介して撮像装置３及び端末装置７と通信を行う。第２通信部２２は、例えばＥｔｈｅｒｎｅｔ（登録商標）規格に準拠した通信方式で通信を行う。つまり、第２通信部２２は、撮像装置３Ａ〜３Ｄとの間で、ＬＡＮ（Local Area Network）配線を用いたネットワーク通信を行う。
【００２６】
記憶部２３は、例えばフラッシュメモリなどの電気的に書き換え可能な不揮発性のメモリであることが望ましい。記憶部２３は、住戸親機１、制御装置４、管理室親機５にそれぞれ割り当てられたアドレスを記憶する。また、記憶部２３は、複数の撮像装置３にそれぞれ割り当てられたアドレス（識別情報）と、複数の撮像装置３によってそれぞれ撮像される複数の撮像対象の名称とを一対一に対応付けたデータテーブルを記憶する。
【００２７】
名称設定部２４は、例えばキーボードなどの入力装置が接続されるように構成されており、撮像装置３のアドレスと対応付けて記憶部２３に記憶される撮像対象の名称を入力装置により自由に設定することができる。したがって、工場出荷時においてデフォルトで設定されている撮像対象の名称を、集合住宅１００の仕様等に応じて自由に設定することができる。そして、名称設定部２４により設定された撮像対象の名称は、撮像装置３のアドレスと対応付けて記憶部２３に記憶される。
【００２８】
情報入出力部２５は、例えばメモリカードが抜き差し自在に差し込まれるカードリーダライタである。情報入出力部２５は、記憶部２３に記憶されている情報をメモリカードに書き込んだり、メモリカードの情報を取り込んで記憶部２３に記憶させたりする。例えば本実施形態では、上記情報は、撮像装置３のアドレスと撮像対象の名称とを一対一に対応付けた上記データテーブルである。ここに、本実施形態では、メモリカードが外部装置である。
【００２９】
撮像装置３（３Ａ，３Ｂ，３Ｃ，３Ｄ）は、固体撮像素子と、レンズとを備えている。固体撮像素子は、例えばＣＭＯＳ（Complementary MetalOxide Semiconductor）イメージセンサである。
【００３０】
撮像装置３Ａは、例えばディジタルの映像信号を出力するディジタル方式のカメラであり、共用玄関（ロビー）１０１に設置されている。撮像装置３Ａは、共用玄関１０１に居る来訪者の映像を撮像できるように画角が設定されている。
【００３１】
撮像装置３Ｂ，３Ｃは、例えばディジタルの映像信号を出力するディジタル方式のカメラであり、集合住宅１００において共用玄関１０１以外の共用スペースに設置されている。撮像装置３Ｂは、例えばエレベータホールに設置されており、エレベータホールの映像を撮像する。また、撮像装置３Ｃは、例えばキッズルームに設置されており、キッズルームの映像を撮像する。
【００３２】
撮像装置３Ｄは、例えばアナログの映像信号を出力するアナログ方式のカメラであり、例えば集合住宅１００の駐車場を撮影可能な場所に設置されている。撮像装置３Ａ，３Ｂ，３Ｃはディジタル式のカメラであり、撮像装置３Ａ，３Ｂ，３Ｃからの映像信号は中継装置６に直接入力される。一方、撮像装置３Ｄはアナログ式のカメラであり、撮像装置３Ｄからの映像信号は、変換装置８によってディジタルの映像信号に変換され、変換されたディジタルの映像信号が中継装置６に入力される。
【００３３】
制御装置４は、複数の住戸親機１と、カメラアダプタ２と、管理室親機５との間の通信を制御する。制御装置４は、図２に示すように、信号処理部４１と、通信部４２と、通信部４３とを備えている。
【００３４】
信号処理部４１は、例えばマイクロコンピュータを主構成とし、マイクロコンピュータのメモリに記録されたプログラムをＣＰＵで実行することにより、制御装置４の種々の機能を実現する。ＣＰＵが実行するプログラムは、予めマイクロコンピュータのメモリに記録されていてもよいし、メモリカードのような記録媒体に記録されて提供されたり、電気通信回線を通して提供されたりしてもよい。信号処理部４１が内蔵するメモリにはデータテーブルが記憶されている。このデータテーブルは、各住戸１０２の住戸親機１に割り当てられたアドレスと、各住戸１０２の部屋番号とを紐付けたテーブルである。
【００３５】
通信部４２は、伝送線１０Ｂを介して管理室親機５の通信部に接続されている。通信部４２は、管理室親機５の通信部との間で、音声信号、映像信号、制御信号（例えば呼出信号など）の少なくともいずれかの信号を含む通信信号を送信又は受信する。また、通信部４２は、伝送線１０Ａを介して、複数の住戸親機１の第１通信部１２に接続されている。通信部４２は、住戸親機１の第１通信部１２との間で、音声信号、映像信号、制御信号（例えば呼出信号など）の少なくともいずれかの信号を含む通信信号を送信又は受信する。
【００３６】
通信部４３は、伝送線１０Ｃを介してカメラアダプタ２の第２通信部２２に接続されている。通信部４３は、カメラアダプタ２の第２通信部２２との間で、映像信号、制御信号（例えば映像信号の送信を要求する要求信号など）の少なくとも一方の信号を含む通信信号を送信又は受信する。通信部４３は、例えばＥｔｈｅｒｎｅｔ（登録商標）規格に準拠した通信方式で通信を行う。
【００３７】
管理室親機５は、制御部と、通信部と、通話部と、表示部と、操作部とを備えている。これらの制御部、通信部、通話部、表示部及び操作部は、それぞれ、住戸親機１の第１制御部１１、第１通信部１２、通話部１３、表示部１４及び操作部１５と同様の機能を有しているので、ここでは詳細な説明を省略する。
【００３８】
中継装置６は、例えばネットワークの集線装置（ハブ）である。中継装置６には、複数（図示例では４つ）の撮像装置３と、パーソナルコンピュータのような端末装置７とが接続されている。中継装置６は、撮像装置３から入力される映像信号をカメラアダプタ２に中継する機能を有している。
【００３９】
端末装置７は、例えばパーソナルコンピュータである。本実施形態の集合住宅用インターホンシステム２００では、上述のように、カメラアダプタ２の名称設定部２４により撮像装置３の撮像対象の名称を設定することができるが、端末装置７を用いて撮像対象の名称を設定することもできる。端末装置７で設定した撮像対象の名称は、中継装置６を介してカメラアダプタ２に送信される。
【００４０】
ところで、従来の集合住宅用インターホンシステムでは、上述のように、カメラコントローラによって所定時間間隔で切り替えられる複数の共用部カメラの映像が居室親機のモニタに順次表示される。つまり、従来の集合住宅用インターホンシステムでは、複数の共用部カメラの映像を居室親機のモニタに順番に表示させることはできるが、特定の共用部カメラの映像を選択して居室親機のモニタに表示させることはできない。これに対して、本実施形態の集合住宅用インターホンシステム２００では、住戸親機（表示端末）１で選択した撮像装置３の映像を住戸親機１の表示部１４に表示させることができる。以下、住戸親機１で選択した撮像装置３の映像を住戸親機１に表示させる動作について、図３Ａ〜図３Ｄ及び図４を参照して説明する。まず、図３Ａ〜図３Ｄについて説明する。
【００４１】
図３Ａは、住戸親機１の表示部１４に表示されるメニュー画面１４１である。メニュー画面１４１には、複数（図示例では６つ）のアイコン１４１１〜１４１６が表示されている。
【００４２】
アイコン１４１３は、住戸１０２の玄関に設けられた玄関子機のカメラによって撮像された映像、又は共用スペースに設けられた撮像装置３によって撮像された映像を表示部１４に表示させるためのアイコンである。アイコン１４１１，１４１２，１４１４，１４１５，１４１６は、それぞれ、呼出用、通知用、操作用、情報確認用、設定用のアイコンである。
【００４３】
図３Ｂは、メニュー画面１４１においてアイコン１４１３がタッチされたことで表示部１４に表示される第１選択画面１４２である。第１選択画面１４２には、複数（図示例では３つ）のアイコン１４２１〜１４２３が表示されている。アイコン１４２１は、玄関子機のカメラからの映像を選択するためのアイコンである。第１選択ボタンであるアイコン１４２２は、共用スペース（共用部）に設置された撮像装置３からの映像を選択するためのアイコンである。アイコン１４２３は、前画面であるメニュー画面１４１に戻るためのアイコンである。
【００４４】
図３Ｃは、第１選択画面１４２において第１選択ボタンであるアイコン１４２２がタッチされることで表示部１４に表示される第２選択画面１４３である。第２選択画面１４３には、複数（図示例では９つ）のアイコン１４３１〜１４３９が表示されている。アイコン１４３９は、前画面である第１選択画面１４２に戻るためのアイコンである。
【００４５】
撮像装置３Ａは、上述のように共用玄関（ロビー）１０１に設置されており、「ロビー」の名称が表示されたアイコン１４３５に対応付けられている。撮像装置３Ｂは、上述のようにエレベータホールに設置されており、「エレベータホール」の名称が表示されたアイコン１４３２に対応付けられている。撮像装置３Ｃは、上述のようにキッズルームに設置されており、「キッズルーム」の名称が表示されたアイコン１４３６に対応付けられている。撮像装置３Ｄは、上述のように駐車場を撮影可能な場所に設置されており、「駐車場」の名称が表示されたアイコン１４３１に対応付けられている。
【００４６】
なお、本実施形態では、「公園」又は「屋上」の名称が表示されたアイコン１４３３，１４３４，１４３７，１４３８には、図示していない撮像装置が対応付けられている。ここに、本実施形態では、アイコン１４３１〜１４３８が第２選択ボタンである。
【００４７】
図３Ｄは、第２選択画面１４３においてアイコン１４３６がタッチされることで表示部１４に表示される表示画面１４４である。この表示画面１４４には、アイコン１４３６に対応付けられた撮像装置３Ｃからの映像１４４１と、アイコン１４４２とが表示されている。アイコン１４４２は、前画面である第２選択画面１４３に戻るためのアイコンである。
【００４８】
次に、住戸親機（表示端末）１で選択した撮像装置３の映像を住戸親機１の表示部１４に表示させる動作について、図３Ａ〜図３Ｄ及び図４を参照して説明する。
【００４９】
例えば、表示部１４に表示させたメニュー画面１４１においてアイコン１４１３がタッチされると、住戸親機１の第１制御部１１は、第１選択画面１４２を表示部１４に表示させる（図４のステップＳＴ１）。次に、表示部１４に表示させた第１選択画面１４２においてアイコン１４２２がタッチされると、第１制御部１１は、ブラウザを起動させる（図４のステップＳＴ２）。またこのとき、第１制御部１１は、カメラアダプタ２とのセッションを要求するセッション要求信号Ｓｉｇ１を、制御装置４を介して第１通信部１２から第２通信部２２に送信させる（図４のステップＳＴ３）。
【００５０】
カメラアダプタ２の第２制御部２１は、第２通信部２２がセッション要求信号Ｓｉｇ１を受信すると、セッション要求信号Ｓｉｇ１に対するセッション応答信号Ｓｉｇ２を送信するか否かを判定する。ここで、本実施形態のカメラアダプタ２は、複数台（例えば４台）の住戸親機１と同時にセッションを行うことができる。したがって、カメラアダプタ２とセッションを行っている他の住戸親機１の台数が上限に達している場合、セッション要求信号Ｓｉｇ１を送ってきた住戸親機１はカメラアダプタ２とセッションを行うことができない。この場合、カメラアダプタ２の第２制御部２１は、セッション要求信号Ｓｉｇ１を送ってきた住戸親機１に対してエラーメッセージ（例えば「通信できません」など）を表示させるためのコンテンツを送信する。一方、カメラアダプタ２とセッションを行っている他の住戸親機１の台数が上限に達していない場合、第２制御部２１は、セッション要求信号Ｓｉｇ１を送ってきた住戸親機１に対してセッション応答信号Ｓｉｇ２を送信する（図４のステップＳＴ４）。
【００５１】
住戸親機１の第１制御部１１は、第１通信部１２がセッション応答信号Ｓｉｇ２を受信すると、第１通信部１２に第２通信部２２との通信を開始させる。また、第１制御部１１は、第１選択画面１４２においてアイコン１４２２がタッチされたことで、共用スペースに設置された撮像装置３の映像を要求する要求信号Ｓｉｇ３を作成する。そして、第１制御部１１は、作成した要求信号Ｓｉｇ３を、制御装置４を介して第１通信部１２から第２通信部２２に送信させる（図４のステップＳＴ５）。
【００５２】
カメラアダプタ２の第２制御部２１は、第２通信部２２が要求信号Ｓｉｇ３を受信すると、第２選択画面１４３を含む第１データｄ１を作成する。そして、第２制御部２１は、作成した第１データｄ１を、制御装置４を介して第２通信部２２から第１通信部１２に送信させる（図４のステップＳＴ６）。
【００５３】
住戸親機１の第１制御部１１は、第１通信部１２が第１データｄ１を受信すると、第１データｄ１に含まれる第２選択画面１４３を表示部１４に表示させる（図４のステップＳＴ７）。第１制御部１１は、第２選択画面１４３において、例えば「キッズルーム」の名称が表示されたアイコン１４３６がタッチされると、選択信号Ｓｉｇ４を、制御装置４を介して第１通信部１２から第２通信部２２に送信させる（図４のステップＳＴ８）。
【００５４】
カメラアダプタ２の第２制御部２１は、第２通信部２２が選択信号Ｓｉｇ４を受信すると、選択信号Ｓｉｇ４に対応する撮像装置３からの映像を含む第２データｄ２を作成する。そして、第２制御部２１は、作成した第２データｄ２を、制御装置４を介して第２通信部２２から第１通信部１２に送信させる（図４のステップＳＴ９）。ここで、本実施形態では、第２制御部２１は、映像データとして、所定時間（例えば１．５秒）で撮像されたＪＰＥＧ画像を第２データｄ２に含めている。
【００５５】
住戸親機１の第１制御部１１は、第１通信部１２が第２データｄ２を受信すると、第２データｄ２に含まれる撮像装置３の映像を表示部１４に表示させる。ここで、第１制御部１１は、第２データｄ２に含まれているＪＰＥＧ画像を自動更新することにより、「キッズルーム」の映像１４４１を表示部１４に表示させる。以降、住戸親機１とカメラアダプタ２との間でステップＳＴ８，ＳＴ９の動作を繰り返すことにより、「キッズルーム」の映像１４４１を継続して表示部１４に表示させることができる。
【００５６】
上述のように、本実施形態の集合住宅用インターホンシステム２００では、住戸親機１から送信される選択信号Ｓｉｇ４に対応する撮像装置３の映像を住戸親機１の表示部１４に表示させることができる。すなわち、本実施形態の集合住宅用インターホンシステム２００によれば、住戸親機（表示端末）１に表示させる撮像装置３の映像を住戸親機１からの操作により選択することができる。
【００５７】
また、本実施形態の集合住宅用インターホンシステム２００では、撮像装置３の識別情報と撮像装置３の撮像対象の名称とを対応付けたデータテーブルをカメラアダプタ２の記憶部２３に記憶させている。そして、カメラアダプタ２は、データテーブルに基づく第２選択画面１４３をＨＴＭＬ書類化（コンテンツ化）して住戸親機１のブラウザ機能で確認可能としている。要するに、撮像装置３の識別情報と撮像装置３の撮像対象の名称との対応関係については、カメラアダプタ２にて一元管理し、それに基づくコンテンツを住戸親機１に表示させている。したがって、撮像装置３の識別情報と撮像装置３の撮像対象の名称との対応関係については各住戸親機１にて記憶させなくてもよい。その結果、本実施形態の集合住宅用インターホンシステム２００によれば、上記データテーブルを記憶させるためのメモリが住戸親機１に不要であり、さらに上記データテーブルを住戸親機１に記憶させる作業が不要であるという利点がある。
【００５８】
また、本実施形態の集合住宅用インターホンシステム２００では、撮像装置３からの映像をカメラアダプタ２にてキャッシュしている。すなわち、カメラアダプタ２は、撮像装置３から取得した映像を、一旦キャッシュし、制御装置４及び住戸親機１からなる既設の集合住宅用インターホンシステムの伝送線１０Ａに対して出力する。そのため、伝送線１０Ａに対して映像を出力する撮像装置３の台数が増えたとしても、映像の更新間隔が長くなったり、短くなったりすることを抑えることができる。したがって、各住戸親機１においては、略一定のフレームレートで映像を取得することが可能になる。
【００５９】
以上説明したように、本実施形態の集合住宅用インターホンシステム２００は、表示端末（住戸親機１）と、サーバ装置（カメラアダプタ２）とを備えている。表示端末は、集合住宅１００の住戸１０２に設けられている。サーバ装置は、集合住宅１００の共用スペース（例えば共用玄関１０１）に設けられた少なくとも１つの撮像装置３が接続されている。表示端末は、第１通信部１２と、表示部１４と、第１通信部１２及び表示部１４を制御する第１制御部１１とを有している。サーバ装置は、第１通信部１２と通信を行う第２通信部２２と、第２通信部２２を制御する第２制御部２１とを有している。第１制御部１１は、表示部１４に表示させた第１選択画面１４２において第１選択ボタン（アイコン１４２２）が選択されると、要求信号Ｓｉｇ３を第１通信部１２から第２通信部２２に送信させるように構成されている。要求信号Ｓｉｇ３は、少なくとも１つの撮像装置３により撮像された映像を要求する信号である。第２制御部２１は、第２通信部２２が要求信号Ｓｉｇ３を受信すると、第１データｄ１を第２通信部２２から第１通信部１２に送信させるように構成されている。第１データｄ１は、少なくとも１つの撮像装置３に一対一に対応付けられた少なくとも１つの第２選択ボタン（アイコン１４３１〜１４３８）を含む第２選択画面１４３を表示部１４に表示させるデータである。第１制御部１１は、第１通信部１２が第１データｄ１を受信すると、第１データｄ１に基づいて第２選択画面１４３を表示部１４に表示させるように構成されている。第１制御部１１は、第２選択画面１４３において少なくとも１つの第２選択ボタンのいずれかが選択されると選択信号Ｓｉｇ４を第１通信部１２から第２通信部２２に送信させるように構成されている。第２制御部２１は、第２通信部２２が選択信号Ｓｉｇ４を受信すると、第２データｄ２を第２通信部２２から第１通信部１２に送信させるように構成されている。第２データｄ２は、少なくとも１つの撮像装置３のうち選択信号Ｓｉｇ４に対応する撮像装置３により撮像された映像を表示部１４に表示させるデータである。第１制御部１１は、第１通信部１２が第２データｄ２を受信すると、第２データｄ２に基づいて映像を表示部１４に表示させるように構成されている。この構成によれば、サーバ装置から提供される第２選択画面１４３に表示された少なくとも１つの第２選択ボタンのいずれかを選択することにより、選択した第２選択ボタンに対応付けられた撮像装置３の映像を表示部１４に表示させることができる。つまり、本実施形態の集合住宅用インターホンシステム２００によれば、表示端末（住戸親機１）に表示させる撮像装置３の映像を表示端末からの操作により選択することができる。
【００６０】
また、本実施形態の集合住宅用インターホンシステム２００のように、サーバ装置（カメラアダプタ２）は、記憶部２３と、名称設定部２４とをさらに有していることが好ましい。記憶部２３は、少なくとも１つの撮像装置３の識別情報（アドレス）と、少なくとも１つの撮像装置３の撮像対象の名称とを一対一に対応付けて記憶する。名称設定部２４は、記憶部２３に記憶される上記名称を設定する。この構成によれば、撮像装置３の撮像対象の名称を、設置される集合住宅１００の環境に合わせて自由に変更することができる。また、撮像装置３の識別情報と撮像装置３の撮像対象の名称との対応関係についてはサーバ装置に記憶させるだけでよく、表示端末（住戸親機１）に記憶させなくてもよいという利点もある。ただし、この構成は集合住宅用インターホンシステム２００の必須の構成ではなく、記憶部２３及び名称設定部２４は省略されていてもよい。
【００６１】
また、本実施形態の集合住宅用インターホンシステム２００のように、サーバ装置（カメラアダプタ２）は、記憶部２３に記憶されている情報を外部装置に出力する情報出力部（情報入出力部２５）をさらに有していることが好ましい。この構成によれば、撮像装置３の識別情報（アドレス）と撮像装置３の撮像対象の名称とを一対一に対応付けた情報を、情報出力部（情報入出力部２５）を介して外部装置（例えばメモリカードなど）に書き込むことができる。そして、外部装置に書き込まれた上記情報を他の集合住宅１００に適用することで、各集合住宅１００に対して個別に設定しなくてもよく、設定に要する時間を短縮することができる。ただし、この構成は集合住宅用インターホンシステム２００の必須の構成ではなく、情報出力部は省略されていてもよい。
【００６２】
本実施形態のサーバ装置（カメラアダプタ２）は、集合住宅１００の共用スペースに設けられた少なくとも１つの撮像装置３が接続され、集合住宅１００の住戸１０２に設けられた表示端末（住戸親機１）とともに集合住宅用インターホンシステム２００を構成する。このサーバ装置は、表示端末の第１通信部１２と通信を行う第２通信部２２と、第２通信部２２を制御する制御部（第２制御部２１）とを備えている。制御部は、第２通信部２２が第１通信部１２から要求信号Ｓｉｇ３を受信すると、第１データｄ１を第２通信部２２から第１通信部１２に送信させるように構成されている。要求信号Ｓｉｇ３は、少なくとも１つの撮像装置３により撮像された映像を要求する信号である。第１データｄ１は、少なくとも１つの撮像装置３に一対一に対応付けられた少なくとも１つの選択ボタン（アイコン１４３１〜１４３８）を含む選択画面（第２選択画面１４３）を表示端末の表示部１４に表示させるデータである。制御部は、第２通信部２２が選択信号Ｓｉｇ４を受信すると、第２データｄ２を第２通信部２２から第１通信部１２に送信させるように構成されている。選択信号Ｓｉｇ４は、第１データｄ１に基づいて表示部１４に表示させた選択画面において少なくとも１つの選択ボタンのいずれかが選択されることで第１通信部１２から送信される信号である。第２データｄ２は、少なくとも１つの撮像装置３のうち選択信号Ｓｉｇ４に対応する撮像装置３により撮像された映像を表示部１４に表示させるデータである。この構成によれば、サーバ装置は、表示端末から送られてくる選択信号Ｓｉｇ４に対応する撮像装置３の映像を含む第２データｄ２を表示端末に送信し、表示端末は、第２データｄ２に基づいて上記映像を表示部１４に表示させることになる。つまり、本実施形態のサーバ装置によれば、表示端末に表示させる撮像装置３の映像を表示端末からの操作により選択することができる。
【００６３】
本実施形態の表示端末（住戸親機１）は、上述の集合住宅用インターホンシステム２００に用いられる。この構成によれば、表示端末に表示させる撮像装置３の映像を表示端末からの操作により選択することができる。
【００６４】
以下、本実施形態の変形例について説明する。
【００６５】
上述の実施形態では、サーバ装置がカメラアダプタ２である場合について説明したが、サーバ装置はカメラアダプタ２に限らず、例えばサーバ装置が制御装置４であってもよい。
【００６６】
また、上述の実施形態では、住戸親機１が表示端末である場合について説明したが、表示端末は住戸親機１に限らず、例えばスマートフォンやタブレット端末などであってもよい。この場合、スマートフォンやタブレット端末は持ち運びできることから、撮像装置３の映像を集合住宅１００の敷地外で確認することができる。
【００６７】
さらに、上述の実施形態では、外部装置がメモリカードである場合について説明したが、外部装置はメモリカードに限らず、例えば通信線を介してカメラアダプタ２に接続されるパーソナルコンピュータなどであってもよい。
【００６８】
また、カメラアダプタ２の第２通信部２２と制御装置４の通信部４３との間の通信方式は、上述の実施形態で説明したＥｔｈｅｒｎｅｔ（登録商標）規格に準拠した通信方式に限らず、他の通信方式であってもよい。
【００６９】
さらに、上述の実施形態では、カメラアダプタ２に対して４つの撮像装置３が接続されているが、カメラアダプタ２に対して少なくとも１つの撮像装置３が接続されていればよい。また、上述の実施形態では、撮像装置３がカメラアダプタ２に直接接続されているが、撮像装置３はカメラアダプタ２に直接接続されていなくてもよい。すなわち、撮像装置３からの映像が、例えば制御装置４を介してカメラアダプタ２に間接的に入力されるように構成されていてもよい。
【符号の説明】
【００７０】
１  住戸親機（表示端末）
２  カメラアダプタ（サーバ装置）
３  撮像装置
１１  第１制御部
１２  第１通信部
１４  表示部
２１  第２制御部（制御部）
２２  第２通信部
２３  記憶部
２４  名称設定部
２５  情報入出力部（情報出力部）
１００  集合住宅
１０１  共用玄関（共用スペース）
１０２  住戸
１４２  第１選択画面
１４３  第２選択画面
２００  集合住宅用インターホンシステム
１４２２  アイコン（第１選択ボタン）
１４３１〜１４３８  アイコン（第２選択ボタン）
ｄ１  第１データ
ｄ２  第２データ
Ｓｉｇ３  要求信号
Ｓｉｇ４  選択信号
【図１】
0006709955.tif 000002
【図２】
0006709955.tif 000003
【図３】
0006709955.tif 000004
【図４】
0006709955.tif 000005